(57)【要約】  【課題】  交換の際の取り扱いが容易で、生産性や経済性を高く維持するとともにメンテナンス性に優れたスロットマシンを提供する。  【解決手段】  下ユニットと下ユニットの上面に載置され固定される上ユニットとを備え、上ユニットは前面に開口部を有する箱型の上筐体と開口部を開閉可能に塞ぐ上前扉とを備え、上筐体の内部には少なくともリールユニットと制御装置とが備えられ、下ユニットは前面に開口部を有する箱型の下筐体と開口部を開閉可能に塞ぐ下前扉とを備え、下筐体の内部には少なくともホッパーとリールユニットと電源ユニットとを備えた上下分離型スロットマシンであって、下ユニットの上面に上ユニットを載置し固定した状態で上前扉と下前扉とを固定する上下前扉固定手段を備えるものとする。【選択図】図１
2005237676.tif 000002
【特許請求の範囲】
【請求項１】
下ユニットと、下ユニットの上面の所定位置に載置されて固定される上ユニットとを備え、
上ユニットは、前面に開口部を有する箱型の上筐体と、上筐体の前面の開口部を開閉可能に塞ぐ上前扉とを備え、
上筐体の内部には、少なくとも、複数の回転リールを備えたリールユニットと、遊技を制御する制御装置とが備えられ、
下ユニットは、前面に開口部を有する箱型の下筐体と、下筐体の前面の開口部を開閉可能に塞ぐ下前扉とを備え、
下筐体の内部には、少なくとも、遊技メダルを払い出すホッパーと、リールユニット、制御装置及びホッパーに電力を供給する電源ユニットとを備えた上下分離型スロットマシンであって、
下ユニットの上面の所定位置に上ユニットを載置して固定した状態で上前扉と下前扉とを固定する上下前扉固定手段を備えていることを特徴とする上下分離型スロットマシン。
【請求項２】
前記上前扉の下部には、メダルの投入操作、回転リールの回転開始操作及び回転リールの回転停止操作を行うための操作部が設けられていることを特徴とする請求項１記載の上下分離型スロットマシン。
【発明の詳細な説明】
【技術分野】
【０００１】
本発明は、上下分離型スロットマシンに関する。
【背景技術】
【０００２】
従来、スロットマシンは正面側に開口する筐形の本体キャビネットと、この本体キャビネットの開口部を開閉自在に塞ぐ前扉とからなっており、この本体キャビネットの内部に、スロットマシンを構成する各装置、すなわち、リールユニット、遊技メダルを払い出すホッパー、電源ユニットなどが備えられている。
しかし、従来のスロットマシンにおいては、遊技内容を変更する際には本体キャビネットをまるごと交換しなければならず、遊技内容とは無関係であって本来であれば交換する必要の無いホッパーや電源ユニットまでも交換することとなるため、交換にかかる費用が大きくなり、さらには資源が無駄になるという問題点があった。さらに、本体キャビネットまるごとの交換においては、ホッパー内のメダル抜き取り、本体の撤去、搬出及び運搬、新台の搬入、設置等といった一連の作業に手間がかかり、かつ作業の負担も大きいという問題点もあった。
【０００３】
そこで、上記問題点を解決すべく下記の特許文献１及び特許文献２に開示する技術が提供されている。すなわち、特許文献１では本体キャビネット内部の左端から右端にかけて基材を横断させ、その基材より上部を開口上部、その基材より下部を開口下部とする。そして、開口上部には、枠体等を支持体としてその中に遊技内容の変更に最小限必要なリールユニットや遊技内容を制御するメイン基板等を備えたものを収容可能としておく。これにより、前記支持体の中に備えられたリールユニット等のみの交換で遊技内容の変更を可能とすることができ、費用を抑えた本体の交換が可能なスロットマシンを提供可能としている。また、特許文献２では上部ユニットとこれに着脱自在な下部ユニットとを備え、上部ユニットにはリールユニットや制御ユニット等を収納し、下部ユニットにはメダルホッパーや電源ユニット等を収納することとする。これにより、台の交換時には下部ユニットから上部ユニットのみを取り外し、新規の遊技機能を有する上部ユニットを据付けることで容易に入れ替えることができ、作業の手間を抑え、さらに作業の負担が小さいスロットマシンを提供可能としている。
【特許文献１】特開２００３−４７６８５号公報
【特許文献２】特開平８−１６４２３６号公報
【発明の開示】
【発明が解決しようとする課題】
【０００４】
しかし、上述の特許文献１に開示されているスロットマシンにおいては、支持体を設けているため、前記リールユニットはこの支持体の構造に依存することとなる。すなわち、遊技者のリールの視認性を向上すべくリールユニットを大型化したいような場合は、支持体としての枠体の大きさを超えたリールユニットの設計ができず、リールユニットの大型化が困難であるという問題が生じていた。また、前記枠体の中にはリールユニットやメイン基板が備えられており、遊技内容の変更時には前記リールユニット等を備えた枠体全体を交換ユニットとして交換することとなるが、当該交換ユニットは箱型となっていないことから、運搬時等にそのまま取り扱うことができずパッケージをしなければならないため取り扱いが不便であるという問題が生じていた。また、上記スロットマシンにおける支持体としての枠体は、従来のスロットマシンの本体キャビネットの構造と比較した場合に使用する部品数が多くなり、生産性や経済性の低下を招くという問題が生じていた。さらに、上記スロットマシンにおいては、遊技者がリールの回転や停止を操作するための操作部が前記開口下部を覆う下扉部に備えられているが、前記下扉部は基本的に台交換の際にも固定されたままであるため、前記操作部も前記下扉部と同様に交換できず、新規な形状や構造を有する操作部の設計が困難であるという問題が生じていた。
【０００５】
また、上述の特許文献２に開示されているスロットマシンにおいては、上部ユニットと下部ユニットとを設け、この上部ユニットに下部ユニットを着脱可能としているが、この上部ユニットと下部ユニットにはそれぞれ正面方向に開閉する上扉と下扉とが備えられている。ここで、上部ユニットの上下幅を広くするような場合を考慮すると、スロットマシン全体の大きさは変わらないため、上部ユニットを大きくした分、下部ユニットは小さくなる。すると、前記下扉は前記下部ユニットの開口部と同じ広さになるため、前記下扉も前記下部ユニットと同様に小さくなる。この際、たとえばホッパーにメダルの補給を行う場合には、上述の如く下扉は小さくなっているため、メダルの補給が困難となるという問題が生じていた。また、上述した上扉及び下扉の背面には、操作部等に関する電気系統の配線がなされている場合が多く、かかる配線等のメンテナンスを行うにあたり、前記上扉及び下扉が開閉しづらく、メンテナンスが容易に行えないという問題が生じていた。
【０００６】
したがって、上記のような事情により、交換等の際の取り扱いが容易であるとともに、生産性や経済性の低下を招くことなくリールユニットや操作部の設計を容易に行うことができ、さらには下部ユニットや扉背面のメンテナンス等を簡易に行うことができるようなスロットマシンの提供が望まれている。
そこで、本発明は、上記事情に鑑みてなされたものであり、交換等の際の取り扱いが容易で、生産性や経済性を高く維持するとともにメンテナンス性に優れたスロットマシンを提供することを第１の課題とする。
さらに、本発明は、上記第１の課題に加え、各操作装置の設計変更等を容易に実施可能とするスロットマシンを提供することを第２の課題とする。
【課題を解決するための手段】
【０００７】
（第１の発明）
本発明のうち第１の発明は、下ユニット3と、下ユニット3の上面の所定位置に載置されて固定される上ユニット2とを備え、上ユニット2は、前面に開口部を有する箱型の上筐体10と、上筐体10の前面の開口部を開閉可能に塞ぐ上前扉11とを備え、上筐体10の内部には、少なくとも、複数の回転リール31を備えたリールユニット30と、遊技を制御する制御装置37とが備えられ、下ユニット3は、前面に開口部を有する箱型の下筐体50と、下筐体50の前面の開口部を開閉可能に塞ぐ下前扉51とを備え、下筐体50の内部には、少なくとも、遊技メダルを払い出すホッパー59と、リールユニット30、制御装置37及びホッパー59に電力を供給する電源ユニット58とを備えた上下分離型スロットマシンであって、下ユニット3の上面の所定位置に上ユニット2を載置して固定した状態で上前扉11と下前扉51とを固定する上下前扉固定手段24を備えていることを特徴とする。
【０００８】
「上ユニット2」及び「下ユニット3」とは、上下分離型スロットマシンを構成するものである。前記上ユニット2は従来のスロットマシンにおける上下のほぼ半分の位置で分離した上側の部分に相当し、前記下ユニット3は従来のスロットマシンにおける上下のほぼ半分の位置で分離した下側の部分に相当する。前記上ユニット2には、複数個の回転リール31を横並びに設けたリールユニット30や、遊技を制御する制御装置37や、回転リール31の回転を開始させたり停止させたりするための操作部15等、スロットマシン1の遊技内容と直接関連のある各装置が収納されている。また、前記下ユニット3には、メダルを払い出すホッパー59や、電源ユニット58等スロットマシン1の遊技内容と直接関連の無い各装置が収納されており、前面にパネル68が取り付け可能になっている。また、前記上ユニット2と前記下ユニット3とは別体となっており、前記下ユニット3の上面の所定位置に上ユニット2を載置して固定し、下ユニット3と上ユニット2とをハーネスで接続すると１台のスロットマシンが構成される。上述の如く、下ユニット3の内部に収納されている各装置は遊技内容と直接関連が無いため、遊技内容を変更する際には下ユニット3は交換することなく上ユニット2を交換すればよい。この時、パネル68を交換すれば、スロットマシンの外観を大きく変更することができる。これにより遊技内容を変更する場合の台交換が容易となるとともに、交換にかかる費用を抑えることも可能となる。また、前記上ユニット2の内部に備えられる装置は上述した回転リール31等の装置に限定されるものではなく、たとえば回転リール31を背後から照射して当該回転リール31を見やすくするバックライトや各種演出を制御するサブ基板等を備えていてもよい。同様にして、前記下ユニット3の内部に備えられる装置は上述したホッパー59等の装置に限定されるものではなく、たとえばホッパー59から溢れるメダルを収納するサブタンク等を備えていてもよい。このように、バックライトやサブ基板等、上述した装置以外のものを備える場合は、遊技内容と直接関連のあるものは上ユニット2に収納され、遊技内容と直接関連の無いものは下ユニット3に収納される。
【０００９】
このような上ユニット2及び下ユニット3においては、下ユニット3を遊技場に据え置いたまま、上ユニット2を異なる種類のものに交換するのみで、異なる種類のスロットマシンに入れ替えたのと同様の効果が得られる。また、下ユニット3のみが故障した場合には、下ユニット3を交換するのみで、新品のスロットマシンに入れ替えたのと同様の効果が得られる。
「上筐体10」とは、前記上ユニット2の外郭を構成するものであり、前面が開口部となる箱型をしている。また、「下筐体50」とは、前記下ユニット3の外郭を構成するものであり、上述同様、前面が開口部となる箱型をしている。ここで「前面」とは、遊技者と対向する側の面をいう。
【００１０】
また、上筐体10と下筐体50との固定は、上下ユニット固定手段27により行う。「上下ユニット固定手段27」とは、前記下筐体50の上面に前記上筐体10を載置した際に、前記上筐体10と前記下筐体50とが動かないように固定する手段をいう。当該上下ユニット固定手段27の構成は、前記上筐体10と前記下筐体50とが固定されるものであれば特に限定されるものではなく、いかなる態様及び構成であっても構わない。また、当該上下ユニット固定手段27の取り付け位置についても特に限定されるものではなく、不正者等が容易に前記上下ユニット固定手段27を解除できないような場所であれば、いかなる場所に取り付けても構わない。さらに、前記上筐体10及び前記下筐体50に取り付ける前記上下ユニット固定手段27の数についても、特に限定されるものではなく、１箇所のみに取り付けることも可能であるし、または２以上の複数箇所に取り付けることも可能である。容易に当該上下ユニット固定手段27を解除できないようにするためには複数箇所に取り付けるのが望ましい。
【００１１】
「リールユニット30」は、表面に複数の図柄が表示される回転リール31を複数個備え、各回転リール31の回転軸にはこれらを回転させる駆動モータがそれぞれ設けられている。
「制御装置37」とは上述の如く、リールユニット30等を制御する装置であり、回転リール31の作動や停止、ホッパー59の作動などを制御することができる装置であればよく、たとえば配線基板に制御用電子部品を備えて構成される電子基板等が挙げられる。回転リール31の制御等はそれぞれの機種によって異なるものとなるため、遊技内容を変更する場合には、前記制御装置37も交換されることとなる。
「ホッパー59」とは入賞により遊技者が獲得できる遊技メダルを払い出し、さらには遊技者がスロットマシン1に投入した遊技メダルを貯留しておくことができる装置をいう。
【００１２】
「電源ユニット58」とはスロットマシン1へ電力を供給する装置をいう。前記電源ユニット58内には基板やスイッチ等を有している。また、電源ユニット58は、上述の如く下ユニット3内に備えられている。そして、前記上ユニット2に備えられた各装置に対しては電源接続手段により電力が供給される。電源接続手段とは、前記電源ユニット58と前記上ユニット2の各装置とを接続する手段である。前記電源ユニット58から各装置へ電力を供給することができるのであれば、特にその態様は限定されるものではなく、上ユニット2に備えられた各装置と前記電源ユニット58とをそれぞれ結線するような接続態様を有する手段とすることもできるが、台交換の容易性という点を考慮して、上ユニット2に備えられた各装置のケーブルを一つにまとめたコネクタとして、このコネクタにより前記電源ユニット58とワンタッチで接続できるような態様とすることができる。
【００１３】
また、上記制御装置37は上述の如く上ユニット2に備えられており、各装置の制御を行うためには当該制御装置37から各装置へ制御用信号を送る必要がある。したがって、下ユニット3内に備えられているホッパー59に対しても信号を送る必要があるが、これは上述した電源接続手段と同様の形態で接続すればよい。
「上前扉11」とは前記上筐体10前面の開口部を覆い、当該開口部を開閉可能に備えられた扉をいう。一方「下前扉51」とは前記下筐体50前面の開口部を覆い、当該開口部を開閉可能に備えられた扉をいう。当該上前扉11及び当該下前扉51は、従来のスロットマシンにおけるメンテナンスの容易性等を考慮すると、従来のスロットマシンと同様に上筐体10の左側面においてヒンジ35により前記上前扉11を取り付け、前記下筐体50の左側面においてヒンジ35により前記下前扉51を取り付けるのが望ましい。これにより、前記上前扉11及び前記下前扉51は当該ヒンジ35を回転軸として前方に開閉することが可能となっている。また、前記上前扉11には遊技者が前記回転リール31を視認する表示窓12を備えている。
【００１４】
「上下前扉固定手段24」とは、前記下ユニット3の上面の所定位置に前記上ユニット2を載置した状態で、前記上前扉11と前記下前扉51とを固定するものである。当該上下前扉固定手段24の構成は、前記上前扉11と前記下前扉51とを固定できるものであれば特に限定されるものではなく、いかなる態様及び構成であっても構わない。また、当該上下前扉固定手段24の取り付け位置についても特に限定されるものではなく、容易に前記上下前扉固定手段24を解除することができないようになっていれば、いかなる位置に取り付けるものであっても構わない。さらに、前記上前扉11及び前記下前扉51に取り付ける前記上下前扉固定手段24の数についても、特に限定されるものではなく、１箇所のみに取り付けることも可能であるし、または２以上の複数箇所に取り付けることも可能である。容易に上下前扉固定手段24を解除できないようにするためには複数箇所に取り付けるのが望ましい。
【００１５】
前記上前扉11及び前記下前扉51が当該上下前扉固定手段24により固定されていない場合には両扉は別個独立に開閉することとなるが、当該上下前扉固定手段24により固定される場合には前記上前扉11と前記下前扉51とが同時に開閉することとなる。すなわち、前記上下前扉固定手段24により前記上前扉11と前記下前扉51とは一体化することとなる。
（第２の発明）
本発明のうち第２の発明は、上記第１の発明の特徴に加え、前記上前扉11の下部には、メダルの投入操作、回転リール31の回転開始操作及び回転リール31の回転停止操作を行うための操作部15が設けられることを特徴とする。
【００１６】
「操作部15」とは上述の如く、遊技者がメダル投入を行い、前記回転リール31の回転の開始及び停止を操作するための部分をいい、遊技者がメダルを投入するメダル投入口13、前記回転リール31の回転を開始させるためのスタートスイッチ17、前記回転リール31の回転を停止させるためのストップスイッチ18等を備える。また、前記操作部15は前記上前扉11の表面の下部に備えられる。
【発明の効果】
【００１７】
本発明は、以下に記載されるような効果を奏する。
すなわち、本発明のうち第１の発明は、交換等の際の取り扱いが容易で、生産性や経済性を高く維持するとともにメンテナンス性に優れたスロットマシンを提供することができる。
また、本発明のうち第２の発明は、上記した第１の発明の効果に加え、各操作装置の設計変更等を容易に実施可能とするスロットマシンを提供することができる。
つまり、本発明は上ユニットが箱型であるため、運搬等の場合にパッケージを簡単にすることができ、取り扱いが容易となる。また、リールの回転や停止を行う操作部が上前扉に備えられているため、当該操作部のデザインや設計を変更する場合に上ユニットにおいて行えばよく、当該変更を容易にすることができる。また、上ユニット内部には支持体等は無いため、リールを大型化することができる。さらに、上述の如く、上ユニット内部に支持体等がないため部品点数を少なくすることができる。
【００１８】
また、本発明のような構成とすると、下ユニット全体の大きさは小さくなるため、その
分、下筐体も小さくなり、さらには下筐体の開口部も小さくなって、ホッパーへのメダル補給が困難となるところ、上前扉と下前扉とを固定し、一体化させて、同時に開閉することができるようにすることでメダル補給をしやすくしている。また、このように上前扉と下前扉とを同時に開閉できるようにすると、上前扉の裏面と下前扉の裏面とを一度に見渡す事ができるため、扉裏のメンテナンスを容易にすることができる。
【発明を実施するための最良の形態】
【００１９】
以下、本発明の実施の形態を図面を参照しつつ説明する。
図１は、本発明の実施の形態に係る上下分離型スロットマシン1を上ユニット2と下ユニット3とに分離した状態における斜視図である。図２は、上ユニット2と下ユニット3とを固定した状態におけるスロットマシン1の全体斜視図である。図３は、上ユニット2と下ユニット3とを分離したまま、上前扉11及び下前扉51を開放した状態における斜視図である。図４は、上ユニット2と下ユニット3とを固定したまま、上前扉11及び下前扉51を開放した状態における斜視図である。図５は、上下ユニット固定手段27により固定する場合における固定前の状態（ａ）及び固定後の状態（ｂ）を示したものである。図６は、上下前扉固定手段24により固定する場合における固定後の状態（ａ）及び固定前の状態（ｂ）を示したものである。
【００２０】
ここで「前面」とは、前記上下分離型スロットマシン1において遊技者がこの上下分離型スロットマシン1を操作して遊技を行う操作部分の存在する面をいうものとして説明を行う。また「前面側」とは、前記前面が存在する側をいうものとする。
（上下分離型スロットマシン1）
本発明に係る上下分離型スロットマシン1は、図１に示すように、下ユニット3と、下ユニット3の上面の所定位置に載置されて固定される上ユニット2とを備えている。
（上ユニット2）
前記上ユニット2は、図３に示すように、前面に開口部を有する箱型の上筐体10と、上筐体10の前面の開口部を開閉可能に塞ぐ上前扉11とを備えている。
【００２１】
前記上筐体10の前面左の側面端付近にはヒンジ35が上下方向に２箇所それぞれ備えられており、これにより上筐体10と上前扉11とが固定される。また、前記上前扉11は当該ヒンジ35を軸として回転するように開閉することができる。
また、前記上筐体10の前面右の側面端付近には扉固定用フック36が備えられており、前記上前扉11を閉めた際に、上前扉11を前記上筐体10に固定する。当該固定の解除は前記上前扉11に備えられた鍵穴14に所定の鍵を挿入し、所定方向に回すことで行うことができる。
また、上前扉11の表面中央部には遊技者がリールを視認する表示窓12が備えられており、前記上前扉11の表面上部には遊技状態に合わせて点滅や点灯を行うライト20が設けられている。また、前記上前扉11の表面下部には遊技者がメダルの投入やリール回転の開始や停止を操作するための操作部15を備えている。この操作部15の前面右側付近には、遊技者がメダルを投入するメダル投入口13が設けられており、またこの操作部15の前面左付近には、貯留されているメダルからメダルの投入を行うためのベットスイッチ16が設けられている。さらに前記ベットスイッチ16の下方にはメダル投入口13からのメダルの投入又は前記ベットスイッチ16の操作によるメダルの投入を条件として上ユニット2内の回転リール31の回転を開始させるためのスタートスイッチ17を備えている。また、操作部15の中央付近で各回転リール31の下方には、各回転リール31に対応して設けられた、回転リール31の回転を停止させるためのストップスイッチ18が３箇所備えられている。また前記メダル投入口13の下方には遊技者がメダルを投入した際であってメダル詰まりを起こした場合に、これを解除するためのメダル詰まり解除手段19が設けられている。
【００２２】
（上ユニット2の内部構成）
前記上ユニット2の内部中央には、図３に示すように、リールユニット30が備えられている。このリールユニット30は、表面に複数の図柄が表示される回転リール31を３個備えている。また、各回転リール31の回転軸にこれらを回転させる駆動モータ（図示しておらず）がそれぞれ設けられている。また前記上ユニット2内の上部には、回転リール31の回転開始や停止の制御や下ユニット3内に備えられたホッパー59からの遊技メダル払い出しの制御等を行う制御装置37としてのメイン基板28が備えられている。
また、前記上ユニット2には、上電源線38aと上信号線38bとが備えられている。
【００２３】
上電源線38aは、前記駆動モータや前記メイン基板28等の前記上ユニット2内部の各装置と、下ユニット3の内部に備えられた電源ユニット58とを結線する電源接続手段となっている。この上電源線38aは、前記上ユニット2内部の各装置と、ケーブルにより結線されている。また、上電源線38aは、上筐体10の外部に引き出して、前記下ユニット3に備えられている電源接続手段としての下電源線39aと接続することが可能になっている。これにより、下ユニット3内部の電源ユニット58と上ユニット2内部の各装置とが結線され、前記電源ユニット58から前記上ユニット2内部の各装置に電力が供給されることとなる。
また、上信号線38bは、前記上ユニット2内部のメイン基板28と、電源ユニット58やホッパー59等の前記下ユニット3内部の各装置とを結線する信号接続手段となっている。この上信号線38bは、前記上ユニット2内部の前記メイン基板28と、ケーブルにより結線されている。また、上信号線38bは、上筐体10の外部に引き出して、前記下ユニット3に備えられている信号接続手段としての下信号線39bと接続することが可能になっている。これにより、上ユニット2内部のメイン基板28と下ユニット3内部の各装置とが結線され、前記メイン基板28と前記下ユニット3内部の各装置との間で、信号が送受信されることとなる。
【００２４】
また、上筐体10と下筐体50とは、上述の如く、上下ユニット固定手段27により固定される。この上下ユニット固定手段27は、第１ユニット固定具32と第２ユニット固定具33とを備えている。当該第１ユニット固定具32は、上筐体10の下部における、前後方向の中央付近であって、左右の両端付近にそれぞれ一つずつ設けられている。
（下ユニット3）
前記上ユニット2と同様に、前記下ユニット3も、図３に示すように前面に開口部を有する箱型の下筐体50と、下筐体50の前面の開口部を開閉可能に塞ぐ下前扉51とを備えている。前記下筐体50の前面左の側面端付近にはヒンジ35が上下方向にそれぞれ２箇所備えられており、これにより下筐体50と下前扉51とが固定される。また、前記下前扉51は当該ヒンジ35を軸として回転するように開閉することができる。
【００２５】
また、前記下前扉51の表面中央部には当該スロットマシン1のマシン名ロゴやイメージキャラクタ等のデザインなどを表示するパネル68を備えている。また前記下前扉51の表面最下部には遊技により獲得したメダルを一時的に保管しておくメダル受け皿53と、獲得メダルの払い出しや不正メダルの返却を行うためのメダル払い出し口52とが備えられている。
（下ユニット3の内部構成）
前記下ユニット3の内部中央には、図３に示すように、遊技メダルを払い出すホッパー59が備えられている。また前記ホッパー59の左側には、各装置に電力を供給する電源ユニット58が設けられている。
【００２６】
また、前記下ユニット3には、下電源線39aと下信号線39bとが備えられている。
下電源線39aは、前記下ユニット3内部の前記電源ユニット58と、駆動モータやメイン基板28等の前記上ユニット2内部の各装置とを結線する電源接続手段となっている。この下電源線39aは、前記下ユニット3内部の前記電源ユニット58と、ケーブルにより結線されている。また、下電源線39aは、下筐体50の外部に引き出して、前記上ユニット2に設けられている電源接続手段としての上電源線38aと接続することが可能になっている。これにより、下ユニット3内部の電源ユニット58と上ユニット2内部の各装置とが結線され、前記電源ユニット58から前記上ユニット2内部の各装置に電力が供給されることとなる。
【００２７】
また、下信号線39bは、前記電源ユニット58や前記ホッパー59等の前記下ユニット3内部の各装置と、前記上ユニット2内部のメイン基板28とを結線する信号接続手段となっている。この下信号線39bは、前記下ユニット3内部の各装置と、ケーブルにより結線されている。また、下信号線39bは、下筐体50の外部に引き出して、前記上ユニット2に備えられている信号接続手段としての上信号線38bと接続することが可能になっている。これにより、上ユニット2内部のメイン基板28と下ユニット3内部の各装置とが結線され、前記メイン基板28と前記下ユニット3内部の各装置との間で、信号が送受信されることとなる。
また、前記下ユニット3の上部における、前記第１ユニット固定具32と対応する位置には、前記第２ユニット固定具33が備えられている。
【００２８】
（上下ユニット固定手段27）
（構成）
上述の如く、上筐体10と下筐体50とは、上下ユニット固定手段27により固定される。この上下ユニット固定手段27は、第１ユニット固定具32と第２ユニット固定具33とを備えている。
前記第１ユニット固定具32は、図５に示すように、前記上筐体10の側面に固定される回転具固定軸21と、この回転具固定軸21により中心を固定されている半円筒状の回転具22と、この回転具22の弧の一端に固定されているレバー23とから構成されている。前記回転具22の円弧部分は内方へ突出している。また、上筐体10の底板における、第１ユニット固定具32の取り付け位置の下方に相当する位置には、上固定用穴25が設けられている。
【００２９】
また、前記第２ユニット固定具33は、図５に示すように、前記下筐体50の側面に備えられ下筐体50の内方に突出する係止部材61から構成されている。また、下筐体50の天板における、第２ユニット固定具33の取り付け位置の上方に相当する位置には、下固定用穴26が設けられている。
（固定方法）
ここで、上筐体10及び下筐体50の右端に備えられる上下ユニット固定手段27による上下筐体の固定方法について説明する。
開放状態では、前記第１ユニット固定具32の回転具22は上方向に凸となっている。この状態から、前記レバー23を、前記回転具固定軸21を中心に回転させる。すると、回転具22もレバー23に伴って回転し、上固定用穴25及び下固定用穴26を介して、下筐体50内に突出する。前記レバー23は開放状態からほぼ１８０°回転すると、上筐体10の底板と接触する。すると、レバー23の回転は終了する。この状態では、回転具22は下に凸となる。この際、前記回転具22の円弧部分は、係止部材61に引っ掛かる。これにより、上筐体10と下筐体50とは固定されることとなる（図５（ｂ）参照）。
【００３０】
また、上筐体10と下筐体50との固定を解除するためには、この固定状態から前記レバー23を固定するときとは逆方向に１８０°回転させることで行うことができる（図５（ａ）参照）。
なお、上筐体10及び下筐体50の左端に設けられる上下ユニット固定手段27については、上述した上筐体10及び下筐体50の右端に設けられる上下ユニット固定手段27と左右対称となっている。
このようにして、前記上下ユニット固定手段27を用いることにより、上筐体10と下筐体50とは容易に固定することが可能となる。
【００３１】
なお、前記上下ユニット固定手段27は、上筐体10と下筐体50とを効率的に、かつ強固に固定することができるような場所に備えるのが望ましい。また、前記上下ユニット固定手段27は他の周知、慣用の固定手段を用いることも可能である。
（上前扉11の裏面及び下前扉51の裏面）
前記下前扉51の裏面及び前記上前扉11の裏面には、図６に示すような上下前扉固定手段24が備えられている。前記上下前扉固定手段24は、第１扉固定具69と第２扉固定具70とを備えている。
前記下前扉51裏面の下部には、図３に示すように、第１扉固定具69が均等間隔に３箇所備えられている。また、上前扉11裏面の上部には、前記各第１扉固定具69とそれぞれに対応する位置に、第２扉固定具70が備えられている。
【００３２】
また、前記上前扉11の裏面であって前記メダル投入口13の下側に位置する部分には、前記メダル投入口13から投入されたメダルに不正等が無いか否かを判断するメダルセレクター54が設けられている。また、前記下前扉51の裏面であって、前記メダルセレクター54の下側に位置する部分には、このメダルセレクター54によって不正と判断されたメダルを前記メダル払い出し口まで誘導するメダルシュート56が設けられている。また、前記メダルシュート56の両側には、遊技状況に合わせた効果音、声又は音楽等を出力するスピーカ55が備えられている（図３及び図４参照）。
（上下前扉固定手段24）
前記上下前扉固定手段24は、上述の如く、第１扉固定具69と第２扉固定具70とを備えている。
【００３３】
前記第１扉固定具69は、図６に示すように、前記下前扉51と固定される固定軸63と、当該固定軸63により固定されるとともに当該固定軸63を軸心として回転することができる扉固定レバー64と、一端が同固定軸63により固定されるとともに当該固定軸63を軸心として前記扉固定レバー64と同方向に回転することができる連結体65と、前記連結体65において前記固定軸63と固定されている側と反対の端部で軸支されこの端部を軸心として回転することができる係止体66とを備えている。
この係止体66は、係止体固定部66a、係止体連結部66b、係止体軸支部66c及びバネ66dを備えている。係止体軸支部66cは、一方の端部が前記連結体65に回転可能に軸支されており、他端には、係止体連結部66bが設けられている。また、係止体連結部66bを覆うように、その内部が中空となった係止体固定部66aが、係止体連結部66bに沿って摺動可能に設けられている。係止体固定部66aには、後述する第２扉固定部70における係止フック62に引っ掛けて固定可能とするための係止孔67が備えられている。そして、前記係止体固定部66aと前記係止体軸支部66cとが、互いに接近する方向に付勢されて、バネ66dにより連結されている。これにより前記係止体66は、伸縮自在に形成されている。
【００３４】
前記第２扉固定具70は、Ｌ字状の金属片からなる係止フック62を備えている。
前記上下前扉固定手段24により前記下前扉51と前記上前扉11とを固定する場合には、前記扉固定レバー64を手前側に回転させながら上方へ引き上げた状態で前記係止体固定部66aを引っ張り、係止孔67を前記上ユニット2に備えられた係止フック62に引っ掛ける。そして、この係止孔67を係止フック62に引っ掛けた状態で、前記扉固定レバー64を下方に回転させながら押し下げて閉じることにより前記上前扉11に引っ張り力を加えて、前記下前扉51と前記上前扉11とを固定することができる（図６（ａ）参照）。また、前記下前扉51と前記上前扉11との固定を解除する場合には、前記扉固定レバー64を手前側に開き上方へ引き上げ、この状態で前記係止孔67を前記係止フック62から取り外せばよい（図６（ｂ）参照）。
【００３５】
このような上下前扉固定手段24を用いることで、前記上前扉11と前記下前扉51とを固定し、上前扉11と下前扉51とを一体化させて同時に開閉することができることとなる（図４参照）。
なお、係止体66のバネ66dが伸縮性を有することにより係止体固定部66aを引っ張ることができるため、係止孔67を係止フック62へ引っ掛けやすくなっている。また、係止孔67を係止フック62に引っ掛けた際には、このバネ66dが縮み、係止フック62を下方向に引っ張ることとなるため、これにより前記下前扉51と前記上前扉11を強力に固定することとなる。
【００３６】
また、前記上下前扉固定手段24としては他の周知、慣用の固定手段を使用することが可能である。
（総括）
本実施の形態に係る発明により、生産性や経済性を高く維持するとともに各装置の設計変更等を容易に実施可能とし、かつメンテナンス性に優れたスロットマシンを提供することができる。すなわち、本実施の形態に係る発明は上ユニット2が箱型であるため、運搬等の場合にパッケージを簡単にすることができ、取り扱いが容易となる。また、リールの回転や停止を行うための操作部15が上前扉11に備えられているため、当該操作部15のデザインや設計を変更する場合に上ユニット2において行えばよく、当該変更を容易にすることができる。また、上ユニット2内部には支持体等は無いため、回転リール31を大型化することができる。さらに、上述の如く、上ユニット2内部に支持体等がないため部品点数を少なくすることができる。また、上下ユニット固定手段27を備えることにより、上筐体10と下筐体50とを容易かつ効率的に固定することができるとともに、強固に固定することができることとなっている。
【００３７】
また、本発明のような構成とすると、下ユニット3全体の大きさは小さくなるため、その分、下筐体50も小さくなり、さらには下筐体50の開口部も小さくなって、ホッパー59へのメダル補給が困難となるところ、上下前扉固定手段24を備えることにより、上前扉11と下前扉51とを容易かつ強固に固定し、一体化させて、同時に開閉することができるようにすることでメダル補給をしやすくしている。また、このように上前扉11と下前扉51とを同時に開閉できるようにすると、上前扉11の裏面と下前扉51の裏面とを一度に見渡す事ができるため、扉裏のメンテナンスを容易にすることができる。
【図面の簡単な説明】
【００３８】
【図１】本発明の第１の実施の形態に係るスロットマシンを上ユニットと下ユニットとに分離した状態における斜視図である。
【図２】上ユニットと下ユニットを固定した状態におけるスロットマシンの全体斜視図である。
【図３】上ユニットと下ユニットとを分離したまま、上前扉及び下前扉を開放した状態における斜視図である。
【図４】上ユニットと下ユニットとを固定したまま、上前扉及び下前扉を開放した状態における斜視図である。
【図５】上下ユニット固定手段により固定する場合における固定前の状態（ａ）及び固定後の状態（ｂ）を示したものである。
【図６】上下前扉固定手段により固定する場合における固定後の状態（ａ）及び固定前の状態（ｂ）を示したものである。
【符号の説明】
【００３９】
1  スロットマシン        2  上ユニット
3  下ユニット            10  上筐体
11  上前扉              12  表示窓
13  メダル投入口        14  鍵穴
15  操作部              16  ベットスイッチ
17  スタートスイッチ    18  ストップスイッチ
19  メダル詰まり解除手段
20  ライト              21  回転具固定軸
22  回転具              23  レバー
24  上下前扉固定手段    25  上固定用穴
26  下固定用穴
27  上下ユニット固定手段28  メイン基板
30  リールユニット      31  回転リール
32  第１ユニット固定具  33  第２ユニット固定具
35  ヒンジ              36  扉固定用フック
37  制御装置            38a 上電源線
38b 上信号線            39a 下電源線
39b 下信号線
50  下筐体              51  下前扉
52  メダル払い出し口    53  メダル受け皿
54  メダルセレクター    55  スピーカ
56  メダルシュート      58  電源ユニット
59  ホッパー            61  係止部材
62  係止フック          63  固定軸
64  扉固定レバー        65  連結体
66  係止体              66a 係止体固定部
66b 係止体連結部        66c 係止体軸支部
66d バネ                67  係止孔
68  パネル              69  第１扉固定具
70  第２扉固定具
【図１】
2005237676.tif 000003
【図２】
2005237676.tif 000004
【図３】
2005237676.tif 000005
【図４】
2005237676.tif 000006
【図５】
2005237676.tif 000007
【図６】
2005237676.tif 000008